(57)【特許請求の範囲】
【請求項１】
音声データがパケット化された音声パケットと、複数の走査線数とインターレース方式又はプログレッシブ方式との組み合わせのうちいずれかの走査方式を有する映像が符号化された映像データがパケット化された映像パケットとが多重されたディジタル放送信号を受信し、
前記受信したディジタル放送信号を復調し、
前記復調したディジタル放送信号から視聴者により選択された番組を構成する音声パケットと映像パケットとを分離し、
前記分離した音声パケットと映像パケットとを復号し、且つ、前記分離した映像パケットに対応する映像データの走査方式の情報を検出し、
映像パケットから復号した映像データを当該映像データの走査方式に対応した映像出力信号に変換すると共に当該映像出力信号に同期情報を付加して出力し、
前記検出した走査方式の情報を前記出力する映像出力信号とは異なる信号として出力し、
音声パケットから復号した音声データを出力するディジタル放送信号処理方法。
【発明の詳細な説明】
【技術分野】
【０００１】
本発明は、１つのストリームに複数の走査方式の映像信号が多重された信号を表示する表示装置に関する。
【背景技術】
【０００２】
ディジタル技術を用いて音声、映像に加えて各種情報を１つの電波に多重して放送できるようになり、この技術を用いた多チャンネル放送が始まっている。上記ディジタル技術を用いることで１つの電波に走査方式が異なる複数の映像信号を符号化して多重し送信することが出来るようになる。
一方、従来のアナログ放送受信機では、複数の放送方式のアナログ放送に対応したテレビジョン受信機がある。従来のアナログ放送では、各種情報を多重することはできないので、走査方式の判別は受信した映像信号自体を解析して行っている。
【発明の開示】
【発明が解決しようとする課題】
【０００３】
上記従来のアナログ放送では、複数の走査方式が異なる映像信号を受信した際にこれを識別する為には受信した映像信号そのものを解析して処理する必要があり専用の識別手段が必要になるとともに、映像信号を判別する為に実際には動作させる必要がない映像信号処理回路も動作させなければならないといった問題があった。
これに対し、ディジタル放送の特徴として、複数の、音声、映像、データなどの情報を１つのストリームに多重して伝送できることがある。これにより、多重されたデータを利用して様々な機能を実現し提供することが出来る。
そこで、本発明の目的は、映像信号走査方式の識別や切替えに応じて表示可能な表示装置を提供することである。
【課題を解決するための手段】
【０００４】
上記目的を達成するために、映像処理装置と接続された表示装置であって、該映像処理装置から複数の走査方式のうちいずれかの走査方式を有する映像と該映像に基づいて検出された走査方式に関する情報とを入力する入力部と、該入力部により入力された映像を表示する表示部と、該表示部により該映像を表示する際に、該入力部により入力された該走査方式に関する情報に基づいて該映像を表示するように制御する制御部を備えるように備えるように構成すればよい。
【発明の効果】
【０００５】
本発明によれば、映像信号走査方式の識別や切替えに応じて表示可能な表示装置を提供することができる。
【発明を実施するための最良の形態】
【０００６】
以下、本発明の実施例を図面を用いて説明する。
【０００７】
図１は本発明のディジタル放送受信装置の構成例を示す図である。人工衛星（図示せず）から送信された電波がアンテナ１で受信される。図１において、１はアンテナ、２は選局・復調手段、３は誤り訂正手段、５は多重された信号を分離する多重分離手段、６は制御ＣＰＵ、１１は符号化された音声・映像情報を復号するＭＰＥＧデコーダ、１２はＭＰＥＧデコーダ１１の出力映像信号に文字情報を付加するＯＳＤ（On Screen Display）回路、１３はディジタル音声信号をアナログ信号に変換するＤ／Ａコンバータ、１４１は例えば走査線５２５本をインタレース走査するＮＴＳＣ信号に、１４２は例えば走査線５２５本を順次走査する５２５Progressive信号（以下５２５Ｐ信号と略記する）に、１４３は例えば走査線１０８０本をインタレース走査するＨＤＴＶ信号にそれぞれ対応したディジタル映像信号をアナログ信号に変換すると共に同期情報などを付加するビデオエンコーダ、１５は映像信号出力端子、１６は音声信号出力端子、２７は選択手段である。
アンテナ１が受信した信号は選局・復調手段２によって選局され復調される。選局・復調手段２で復調された信号は、誤り訂正手段３によって信号に付加されている誤り訂正符号に基づいて誤り訂正が行われる。次に、多重分離手段５によって視聴する番組の信号が分離されて出力される。
多重分離手段５によって分離された符号化音声データ及び符号化映像データはＭＰＥＧデコーダ１１に印加される。ＭＰＥＧデコーダ１１は符号化されたデータを復号して符号化される前のディジタル信号を再生する。ＭＰＥＧデコーダ１１のディジタル映像信号出力は文字情報を付加するＯＳＤ手段１２を経由して、ディジタル映像信号をアナログ映像信号に変換するビデオエンコーダ１４１、１４２、１４３に印加される。ＭＰＥＧデコーダ１１のディジタル音声信号出力はＤ／Ａコンバータ１３に印加され、アナログ音声信号に変換される。ビデオエンコーダ１４１、１４２、１４３の出力は制御ＣＰＵ６によって制御される選択手段２７に印加され選択された映像信号を出力する。これによって送信側から送られたアナログ映像信号とアナログ音声信号が再生され、映像信号出力端子１５と音声信号出力端子１６に出力される。
上記において放送方式が異なる映像信号を処理する場合の動作を説明する。図１において多重分離手段５が処理する多重化された信号の例を図２に示す。図２（Ａ）は多重された信号の１単位の構造でありトランスポートストリームパケット（以下ＴＳパケットと略記する）と呼ばれるものである。ＴＳパケットはデータを格納するペイロードと、格納されているデータがどのようなデータであるか等を示すヘッダと、誤り訂正を行う為の誤り訂正検査ビットの部分から構成されている。デジタル放送においては図２（Ｂ）に示すように１つのストリームに異なる複数の走査方式の映像信号を多重することが可能である。  
このような信号から視聴者が希望する番組を選択した場合、多重分離手段５は例えば選択された番組を構成する符号化音声データと符号化映像データだけを分離して出力する。出力された符号化映像データと符号化音声データはＭＰＥＧデコーダ１１に印加される。符号化映像データには走査方式を示すデータが含まれており、ＭＰＥＧデコーダ１１は前記走査方式を示すデータを検出して制御ＣＰＵ６に伝達する。制御ＣＰＵ６はＭＰＥＧデコーダ１１から伝達された情報に基づいてビデオエンコーダ１４１、１４２、１４３の制御を行うとともに選択手段２７の制御を行う。これによりビデオエンコーダ１４１、１４２、１４３のうち選択された映像信号に対応するビデオエンコーダだけを動作させられとともに選択手段２７からエンコードしたアナログ映像信号を出力する。
以上で説明したように、本発明によればＭＰＥＧデコーダ１１で検出した走査方式の情報に基づいてビデオエンコーダ１４１、１４２、１４３と選択手段２７の制御を行うので正しい走査方式で信号を処理して出力することができるとともに、必要のないビデオエンコーダの機能の一部を停止させあるいは電源を遮断して動作を停止させられるので、不要な電力消費をなくすことができるとともに妨害信号等の発生を低減することができる。
本発明の第２の実施例を図３を用いて説明する。図３において１４はビデオエンコーダである。図３の実施例が図１の実施例と異なるのはビデオエンコーダ１４でＮＴＳＣ信号と５２５Ｐ信号とＨＤＴＶ信号のいずれをも処理する構成とした点である。制御ＣＰＵ６はＭＰＥＧデコーダ１１から伝達された情報に基いて前述の３つの処理手段のうちＭＰＥＧデコーダ１１が検出した走査方式に対応するようビデオエンコーダ１４の動作を制御する。より具体的には、例えば映像帯域を制限する為のビデオフィルタのパラメータ等の制御を行う。これによりビデオエンコーダ１４に入力された信号は正しくエンコードされアナログ映像信号として出力端子１５から出力される。
以上で説明したように、本発明によればＭＰＥＧデコーダ１１で検出した走査方式の情報に基づいてビデオエンコーダ１４の走査方式に関する制御を行うので正しい走査方式で信号を処理して出力することができる。
尚、前記図１と図３の実施例においては符号化映像データに含まれる走査方式のデータをＭＰＥＧデコーダ１１で検出する例を示したが、例えば図４に示すようにペイロードに各映像信号の走査方式を示すデータが記述されたＴＳパケットがある場合は多重分離手段によって前記走査方式が記述されたＴＳパケットを分離し、制御ＣＰＵ６に伝達して選択手段２７やビデオエンコーダの制御を行ってもよい。この場合でも走査方式をＭＰＥＧデコーダ１１で検出した場合と同様の効果を得ることが出来るのは明らかである。
図５に本発明の第３の実施例を示す。図５の実施例が図１の実施例と異なるのは例えば赤外線信号を送出する信号送出手段２４を設けた点である。前記信号送出手段２４はＭＰＥＧデコーダ１１で検出された映像信号の走査方式を示す赤外線信号を送出する。これにより例えば映像信号出力端子１５に接続された、複数の走査方式に対応するとともに前記赤外信号を受信する手段を備えたテレビジョン受像機２５に対して、ＭＰＥＧデコーダ１１で検出した映像信号の走査方式を伝達できる。これにより、視聴者がテレビジョン受像機２５の走査方式の切替え措置を行わなくてもテレビジョン受像機２５の映像信号走査方式を映像信号出力端子１５から出力される映像信号の走査方式にあわせて切り換えることが出来る。
尚、図５においては信号送出手段２４としては赤外線信号を送出する光信号送出手段を用いる例を示したが、赤外線信号ではなく電波信号を送出する電波信号送出手段を用い、テレビジョン受像機として前記電波信号の受信手段を備えたものを映像信号出力端子１５に接続しても同様な効果を得ることが出来る。
図６に本発明の第４の実施例を示す。図６の実施例が図５の実施例と異なるのは、映像信号の走査方式を示す情報を赤外線などの無線信号ではなく電気信号送出手段２６を用いて有線で電気信号として伝達する構成とした点である。図６の構成を用いても図５の実施例の場合と同様な効果を得ることが出来るのは明らかである。
図７に本発明の第５の実施例を示す。図７の実施例が図１の実施例と異なるのは本発明のディジタル放送受信装置を表示装置と同じ筐体に収めたいわゆるディジタル放送受信装置内蔵テレビジョンとして構成した点である。図７において２８は表示信号処理手段、２９は音声信号処理手段、３０はＣＲＴや液晶パネルあるいはプラズマディスプレイパネル等の表示手段、３１はスピーカー等の音声出力手段である。図７において、表示処理手段２８と表示手段３０は例えばＮＴＳＣ信号と５２５Ｐ信号とＤＴＶ信号のいずれをも表示することができるよう構成されている。図７においては、制御ＣＰＵ６は選択された映像信号の走査方式を検出してビデオエンコーダ１４１、１４２、１４３を制御し、また選択手段２７を切り替えるとともに表示処理手段２８を制御し検出された走査方式で映像信号を処理するよう動作させる。これにより、ディジタル放送受信装置内蔵テレビジョンとして構成した装置において選択した番組の映像信号を正しく処理して表示手段３０に表示することができる。
図８に本発明の第６の実施例を示す。図１においてはビデオエンコーダ１４１、１４２、１４３の出力を選択手段２７で選択して出力する構成としていたが、図８においては選択手段２７は使わずにビデオエンコーダ１４１、１４２、１４３の出力をそれぞれ出力端子１５１、１５２、１５３から出力する構成とした点である。図８の構成を用いても図１の実施例と同様の効果を得ることが出来る。
以上の説明において、アンテナ１は人工衛星から送信された電波を受信する場合について説明したが、地上に設置されたアンテナから送信された電波を受信するアンテナを用いても本発明の構成を同様に適用できるのは言うまでもない。また、以上の説明においてはＮＴＳＣ信号と５２５Ｐ信号とＨＤＴＶ信号の３通りの走査方式に対応したディジタル放送受信装置の例について説明したが、他の走査方式の映像信号についてもＭＰＥＧエンコーダ及びビデオエンコーダを映像信号の走査方式に対応するよう構成することで同様な効果が得られるのはいうまでもない。    
【図面の簡単な説明】
【０００８】
【図１】本発明の第１の実施例の構成を示すブロック図である。
【図２】ディジタル多重ストリームの構成を示す図である。
【図３】本発明の第２の実施例の構成を示すブロック図である。
【図４】ディジタル多重ストリームの構成を示す図である。
【図５】本発明の第３の実施例の構成を示すブロック図である。
【図６】本発明の第４の実施例の構成を示すブロック図である。
【図７】本発明の第５の実施例の構成を示すブロック図である。
【図８】本発明の第６の実施例の構成を示すブロック図である。
【符号の説明】
【０００９】
１…アンテナ、２…選局・復調手段、３…誤り訂正手段、５…多重分離手段、６…制御ＣＰＵ、１１…ビデオデコーダ、１２…ＯＳＤ回路、１３…Ｄ／Ａコンバータ、１４…ビデオエンコーダ、１５…映像出力端子、１６…音声出力端子、２７選択手段。
【図１】
0004093214.tif 000002
【図２】
0004093214.tif 000003
【図３】
0004093214.tif 000004
【図４】
0004093214.tif 000005
【図５】
0004093214.tif 000006
【図６】
0004093214.tif 000007
【図７】
0004093214.tif 000008
【図８】
0004093214.tif 000009